(57)【特許請求の範囲】
【請求項１】
複数の基地局と前記複数の基地局を束ねる基地局クラスタ装置と複数の子機から構成され、互いに制御線で接続されている複数の親子式通信システムと、前記複数の基地局クラスタ装置と電話線で接続されている構内交換機とからなる構内無線通信システムにおいて、前記基地局クラスタ装置内に、前記構内交換機および別の基地局クラスタ装置との間で通信の呼の確立と切断をおこなう構内交換機通信手段と、前記制御線を通じて前記親子式通信システム間で管理情報をやりとりする制御線通信手段と、前記子機がどの基地局内にいるかを表す子機現在位置を前記基地局クラスタ装置間にまたがって管理する移動管理手段と、着信先子機番号を子機現在位置が登録されている着信先基地局クラスタ装置の複数の構内内線電話番号と着信先基地局クラスタ内子機番号に変換するアドレス変換手段と、前記着信先基地局クラスタ装置内の構内内線番号がビジーの場合に前記アドレス変換手段から得られた前記着信先基地局クラスタ装置の別の構内内線電話番号に再発呼をおこなう再発呼手段とを備えたことを特徴とする構内無線通信システム。
【請求項２】
複数の基地局と前記複数の基地局を束ねる基地局クラスタ装置と複数の子機から構成され、互いに制御線で接続されている複数の親子式通信システムと、前記複数の基地局クラスタ装置と電話線で接続されている構内交換機とからなる構内無線通信システムにおいて、前記基地局クラスタ装置内に、前記構内交換機および別の基地局クラスタ装置との間で通信の呼の確立と切断をおこなう構内交換機通信手段と、前記制御線を通じて前記親子式通信システム間で管理情報をやりとりする制御線通信手段と、前記親子式通信システムにおける子機がどの基地局内にいるかを表す子機現在位置を前記基地局クラスタ装置間にまたがって管理する移動管理手段と、前記構内交換機と前記基地局クラスタ装置を接続している複数の電話線の使用状況を管理する通信回線管理手段と、着信先子機番号を子機現在位置が登録されている着信先基地局クラスタ装置内の前記通信回線管理手段に空き回線情報を問い合わせて空いている構内内線電話番号と着信先基地局クラスタ内子機番号に変換するアドレス変換手段とを備えたことを特徴とする構内無線通信システム。
【請求項３】
複数の基地局と前記複数の基地局を束ねる基地局クラスタ装置と複数の子機から構成され、互いに制御線で接続されている複数の親子式通信システムと、前記複数の基地局クラスタ装置と電話線で接続されている構内交換機とからなる構内無線通信システムの前記基地局クラスタ装置において、構内交換機通信手段が、前記構内交換機および別の基地局クラスタ装置との間で通信の呼の確立と切断をおこない、制御線通信手段が、前記制御線を通じて前記親子式通信システム間で管理情報をやりとりし、移動管理手段が、前記親子式通信システムにおける子機がどの基地局内にいるかを表す子機現在位置を前記基地局クラスタ装置間にまたがって管理し、アドレス変換手段が、着信先子機番号を子機現在位置が登録されている着信先基地局クラスタ装置の複数の構内内線電話番号と着信先基地局クラスタ内子機番号に変換し、再発呼手段が、前記着信先基地局クラスタ装置内の構内内線番号がビジーの場合に前記アドレス変換手段から得られた前記着信先基地局クラスタ装置の別の構内内線電話番号に再発呼をおこなうことを特徴とする構内無線通信方法。
【請求項４】
複数の基地局と前記複数の基地局を束ねる基地局クラスタ装置と複数の子機から構成され、互いに制御線で接続されている複数の親子式通信システムと、前記複数の基地局クラスタ装置と電話線で接続されている構内交換機とからなる構内無線通信システムの前記基地局クラスタ装置において、構内交換機通信手段が、前記構内交換機および別の基地局クラスタ装置との間で通信の呼の確立と切断をおこない、制御線通信手段が、前記制御線を通じて前記親子式通信システム間で管理情報をやりとりし、移動管理手段が、前記親子式通信システムにおける子機がどの基地局内にいるかを表す子機現在位置を前記基地局クラスタ装置間にまたがって管理し、通信回線管理手段が、前記構内交換機と前記基地局クラスタ装置を接続している複数の電話線の使用状況を管理し、アドレス変換手段が、着信先子機番号を子機現在位置が登録されている着信先基地局クラスタ装置内の前記通信回線管理手段に空き回線情報を問い合わせて空いている構内内線電話番号と着信先基地局クラスタ内子機番号に変換することを特徴とする構内無線通信方法。
【請求項５】
構内交換機と複数の親子式通信システムとからなる構内無線システムで用いられる構内無線通信基地局システムにおいて、前記親子式通信システムは前記構内無線通信基地局システムと複数の子機から構成され、前記構内無線通信基地局システムは複数の基地局と前記複数の基地局を束ねる基地局クラスタ装置とから構成され、前記基地局クラスタ装置は前記構内交換機と電話線で接続されるとともに互いに制御線で接続されており、前記基地局クラスタ装置内に、前記構内交換機および別の基地局クラスタ装置との間で通信の呼の確立と切断をおこなう構内交換機通信手段と、前記制御線を通じて前記親子式通信システム間で管理情報をやりとりする制御線通信手段と、前記親子式通信システムにおける子機がどの基地局内にいるかを表す子機現在位置を前記基地局クラスタ装置間にまたがって管理する移動管理手段と、着信先子機番号を子機現在位置が登録されている着信先基地局クラスタ装置の複数の構内内線電話番号と着信先基地局クラスタ内子機番号に変換するアドレス変換手段と、前記着信先基地局クラスタ装置内の構内内線番号がビジーの場合に前記アドレス変換手段から得られた前記着信先基地局クラスタ装置の別の構内内線電話番号に再発呼をおこなう再発呼手段とを備えたことを特徴とする構内無線通信基地局システム。
【請求項６】
構内交換機と複数の親子式通信システムとからなる構内無線システムで用いられる構内無線通信基地局システムにおいて、前記親子式通信システムは前記構内無線通信基地局システムと複数の子機から構成され、前記構内無線通信基地局システムは複数の基地局と前記複数の基地局を束ねる基地局クラスタ装置とから構成され、前記基地局クラスタ装置は前記構内交換機と電話線で接続されるとともに互いに制御線で接続されており、前記基地局クラスタ装置内に、前記構内交換機および別の前記基地局クラスタ装置との間で通信の呼の確立と切断をおこなう構内交換機通信手段と、前記制御線を通じて前記親子式通信システム間で管理情報をやりとりする制御線通信手段と、前記親子式通信システムにおける子機がどの基地局内にいるかを表す子機現在位置を前記基地局クラスタ装置間にまたがって管理する移動管理手段と、前記構内交換機と前記基地局クラスタ装置を接続している複数の電話線の使用状況を管理する通信回線管理手段と、着信先子機番号を子機現在位置が登録されている着信先基地局クラスタ装置内の前記通信回線管理手段に空き回線情報を問い合わせて空いている構内内線電話番号と着信先基地局クラスタ内子機番号に変換するアドレス変換手段とを備えたことを特徴とする構内無線通信基地局システム。
【請求項７】
構内交換機と複数の親子式通信システムとからなり、前記親子式通信システムは、複数の移動局と複数の基地局と前記複数の基地局を束ねる基地局クラスタ装置とから構成され、前記基地局クラスタ装置は、前記構内交換機と電話線で接続されるとともに互いに制御線で接続されており、前記構内交換機および別の基地局クラスタ装置との間で通信の呼の確立と切断をおこなう構内交換機通信手段と、前記制御線を通じて前記親子式通信システム間で管理情報をやりとりする制御線通信手段と、前記親子式通信システムにおける移動局がどの基地局内にいるかを表す移動局現在位置を前記基地局クラスタ装置間にまたがって管理する移動管理手段と、着信先子機番号を移動局現在位置が登録されている着信先基地局クラスタ装置の複数の構内内線電話番号と着信先基地局クラスタ内子機番号に変換するアドレス変換手段と、着信先基地局クラスタ装置内の構内内線番号がビジーの場合に前記アドレス変換手段から得られた着信先基地局クラスタ装置の別の構内内線電話番号に再発呼をおこなう再発呼手段とを備えた構内無線システムで用いられる移動局において、前記基地局を介して前記基地局クラスタ装置の前記移動管理手段に現在位置を登録する手段と、現在位置を登録した基地局クラスタ装置の基地局クラスタ内子機番号により着信を行なう手段とを備えたことを特徴とする移動局。
【請求項８】
構内交換機と複数の親子式通信システムとからなり、前記親子式通信システムは、複数の移動局と複数の基地局と前記複数の基地局を束ねる基地局クラスタ装置とから構成され、前記基地局クラスタ装置は、前記構内交換機と電話線で接続されるとともに互いに制御線で接続されており、前記構内交換機および別の基地局クラスタ装置との間で通信の呼の確立と切断をおこなう構内交換機通信手段と、前記制御線を通じて前記親子式通信システム間で管理情報をやりとりする制御線通信手段と、前記親子式通信システムにおける移動局がどの基地局内にいるかを表す移動局現在位置を前記基地局クラスタ装置間にまたがって管理する移動管理手段と、前記構内交換機と前記基地局クラスタ装置を接続している複数の電話線の使用状況を管理する通信回線管理手段と、着信先子機番号を移動局現在位置が登録されている着信先基地局クラスタ装置内の前記通信回線管理手段に空き回線情報を問い合わせて空いている構内内線電話番号と着信先基地局クラスタ内子機番号に変換するアドレス変換手段とを備えた構内無線システムで用いられる移動局において、前記基地局を介して前記基地局クラスタ装置の前記移動管理手段に現在位置を登録する手段と、現在位置を登録した基地局クラスタ装置の基地局クラスタ内子機番号により着信を行なう手段とを備えたことを特徴とする移動局。
【発明の詳細な説明】
【０００１】
【発明の属する技術分野】
本発明は、構内交換機と複数の親子式通信システムが接続されている構内無線通信システムに関し、特に、親子式通信システム間にまたがる子機間の音声通信を構内交換機を介して実現する構内無線通信システムに関する。
【０００２】
【従来の技術】
近年、コードレス電話機が家庭やオフィスに普及し、ワイヤレスな音声通信への期待が高まっている。さらに、パーソナルハンディホンシステムの登場によるデジタル化によって、よりクリアな音声品質が実現されている。
【０００３】
従来、オフィスにおいてワイヤレスな音声通信を実現するために、構内交換機（ＰＢＸ）に基地局を接続する方法や、あるいは、親子式通信システム（ワイヤレス主装置）を既存の構内交換機に接続する方法がとられていた。
【０００４】
【発明が解決しようとする課題】
しかしながら、上記従来の前者の方式では、既存の構内交換機のリプレースが必要であるといった問題点を有していた。
【０００５】
上記従来の後者の方式では、親子式通信システムを購入するだけで、既存の構内交換機を利用した構内無線通信システムが実現できる。しかし、システム間でのローミング機能がないため、複数の親子式通信システムを接続して無線領域を拡大した構成で、親子式通信システム間にまたがる子機間通信を実現するには、着信先基地局クラスタ装置構内内線番号＋着信先基地局クラスタ内子機番号を、ユーザが指定して発信しなければならない。しかも、指定した基地局クラスタ装置内から別の基地局クラスタ装置に、着信先子機が移動していた場合は、着信できないといった問題点を有していた。
【０００６】
本発明は、かかる事情に鑑みて成されたものであり、構内交換機に複数の親子式通信システムを接続した構成において、ユーザが着信先子機番号を指定するだけで、着信先子機がどの親子式通信システム内にいても着信できる、構内無線通信システムを提供することを目的とする。
【０００７】
【課題を解決するための手段】
本発明では、上記課題を解決するために、構内無線通信システムを、親子式通信システムにおける子機がどの基地局内にいるかを表す子機の現在位置を、基地局クラスタ装置間にまたがって管理する移動管理手段と、着信先子機番号を着信先子機が現在の位置登録をおこなっている着信先基地局クラスタ装置の構内内線番号と着信先基地局クラスタ内子機番号に変換するアドレス変換手段とを備えた構成とした。
【０００８】
このように構成したことにより、ユーザが着信先子機番号を指定するだけで、着信先子機がどの親子式通信システム内にいても着信できる。
【００１０】
【発明の実施の形態】
本発明の請求項１記載の発明は、複数の基地局と前記複数の基地局を束ねる基地局クラスタ装置と複数の子機から構成され、互いに制御線で接続されている複数の親子式通信システムと、前記複数の基地局クラスタ装置と電話線で接続されている構内交換機とからなる構内無線通信システムにおいて、前記基地局クラスタ装置内に、前記構内交換機および別の基地局クラスタ装置との間で通信の呼の確立と切断をおこなう構内交換機通信手段と、前記制御線を通じて前記親子式通信システム間で管理情報をやりとりする制御線通信手段と、前記子機がどの基地局内にいるかを表す子機現在位置を前記基地局クラスタ装置間にまたがって管理する移動管理手段と、着信先子機番号を子機現在位置が登録されている着信先基地局クラスタ装置の複数の構内内線電話番号と着信先基地局クラスタ内子機番号に変換するアドレス変換手段と、前記着信先基地局クラスタ装置内の構内内線番号がビジーの場合に前記アドレス変換手段から得られた前記着信先基地局クラスタ装置の別の構内内線電話番号に再発呼をおこなう再発呼手段とを備えた構内無線通信システムであり、子機がどの基地局内にいるかを管理し、着信先子機番号を、着信先子機がいる基地局クラスタ装置の複数の構内内線番号とクラスタ内子機番号に変換し、構内内線番号がビジーの場合に別の構内内線電話番号に再発呼を行なうという作用を有する。
【００１１】
本発明の請求項２記載の発明は、複数の基地局と前記複数の基地局を束ねる基地局クラスタ装置と複数の子機から構成され、互いに制御線で接続されている複数の親子式通信システムと、前記複数の基地局クラスタ装置と電話線で接続されている構内交換機とからなる構内無線通信システムにおいて、前記基地局クラスタ装置内に、前記構内交換機および別の基地局クラスタ装置との間で通信の呼の確立と切断をおこなう構内交換機通信手段と、前記制御線を通じて前記親子式通信システム間で管理情報をやりとりする制御線通信手段と、前記親子式通信システムにおける子機がどの基地局内にいるかを表す子機現在位置を前記基地局クラスタ装置間にまたがって管理する移動管理手段と、前記構内交換機と前記基地局クラスタ装置を接続している複数の電話線の使用状況を管理する通信回線管理手段と、着信先子機番号を子機現在位置が登録されている着信先基地局クラスタ装置内の前記通信回線管理手段に空き回線情報を問い合わせて空いている構内内線電話番号と着信先基地局クラスタ内子機番号に変換するアドレス変換手段とを備えた構内無線通信システムであり、子機がどの基地局内にいるかを管理し、電話線の使用状況を管理し、着信先子機番号を、着信先子機がいる基地局クラスタ装置の空いている構内内線電話番号と着信先基地局クラスタ内子機番号に変換するという作用を有する。
【００１３】
本発明の請求項３記載の発明は、複数の基地局と前記複数の基地局を束ねる基地局クラスタ装置と複数の子機から構成され、互いに制御線で接続されている複数の親子式通信システムと、前記複数の基地局クラスタ装置と電話線で接続されている構内交換機とからなる構内無線通信システムの前記基地局クラスタ装置において、構内交換機通信手段が、前記構内交換機および別の基地局クラスタ装置との間で通信の呼の確立と切断をおこない、制御線通信手段が、前記制御線を通じて前記親子式通信システム間で管理情報をやりとりし、移動管理手段が、前記親子式通信システムにおける子機がどの基地局内にいるかを表す子機現在位置を前記基地局クラスタ装置間にまたがって管理し、アドレス変換手段が、着信先子機番号を子機現在位置が登録されている着信先基地局クラスタ装置の複数の構内内線電話番号と着信先基地局クラスタ内子機番号に変換し、再発呼手段が、前記着信先基地局クラスタ装置内の構内内線番号がビジーの場合に前記アドレス変換手段から得られた前記着信先基地局クラスタ装置の別の構内内線電話番号に再発呼をおこなう構内無線通信方法であり、子機がどの基地局内にいるかを管理し、着信先子機番号を、着信先子機がいる基地局クラスタ装置の複数の構内内線番号とクラスタ内子機番号に変換し、構内内線番号がビジーの場合に別の構内内線電話番号に再発呼を行なうという作用を有する。
【００１４】
本発明の請求項４記載の発明は、複数の基地局と前記複数の基地局を束ねる基地局クラスタ装置と複数の子機から構成され、互いに制御線で接続されている複数の親子式通信システムと、前記複数の基地局クラスタ装置と電話線で接続されている構内交換機とからなる構内無線通信システムの前記基地局クラスタ装置において、構内交換機通信手段が、前記構内交換機および別の基地局クラスタ装置との間で通信の呼の確立と切断をおこない、制御線通信手段が、前記制御線を通じて前記親子式通信システム間で管理情報をやりとりし、移動管理手段が、前記親子式通信システムにおける子機がどの基地局内にいるかを表す子機現在位置を前記基地局クラスタ装置間にまたがって管理し、通信回線管理手段が、前記構内交換機と前記基地局クラスタ装置を接続している複数の電話線の使用状況を管理し、アドレス変換手段が、着信先子機番号を子機現在位置が登録されている着信先基地局クラスタ装置内の前記通信回線管理手段に空き回線情報を問い合わせて空いている構内内線電話番号と着信先基地局クラスタ内子機番号に変換する構内無線通信方法であり、子機がどの基地局内にいるかを管理し、電話線の使用状況を管理し、着信先子機番号を、着信先子機がいる基地局クラスタ装置の空いている構内内線電話番号と着信先基地局クラスタ内子機番号に変換するという作用を有する。
【００１６】
本発明の請求項５記載の発明は、構内交換機と複数の親子式通信システムとからなる構内無線システムで用いられる構内無線通信基地局システムにおいて、前記親子式通信システムは前記構内無線通信基地局システムと複数の子機から構成され、前記構内無線通信基地局システムは複数の基地局と前記複数の基地局を束ねる基地局クラスタ装置とから構成され、前記基地局クラスタ装置は前記構内交換機と電話線で接続されるとともに互いに制御線で接続されており、前記基地局クラスタ装置内に、前記構内交換機および別の基地局クラスタ装置との間で通信の呼の確立と切断をおこなう構内交換機通信手段と、前記制御線を通じて前記親子式通信システム間で管理情報をやりとりする制御線通信手段と、前記親子式通信システムにおける子機がどの基地局内にいるかを表す子機現在位置を前記基地局クラスタ装置間にまたがって管理する移動管理手段と、着信先子機番号を子機現在位置が登録されている着信先基地局クラスタ装置の複数の構内内線電話番号と着信先基地局クラスタ内子機番号に変換するアドレス変換手段と、前記着信先基地局クラスタ装置内の構内内線番号がビジーの場合に前記アドレス変換手段から得られた前記着信先基地局クラスタ装置の別の構内内線電話番号に再発呼をおこなう再発呼手段とを備えた構内無線通信基地局システムであり、子機がどの基地局内にいるかを管理し、着信先子機番号を、着信先子機がいる基地局クラスタ装置の複数の構内内線番号とクラスタ内子機番号に変換し、構内内線番号がビジーの場合に別の構内内線電話番号に再発呼を行なうという作用を有する。
【００１７】
本発明の請求項６記載の発明は、構内交換機と複数の親子式通信システムとからなる構内無線システムで用いられる構内無線通信基地局システムにおいて、前記親子式通信システムは前記構内無線通信基地局システムと複数の子機から構成され、前記構内無線通信基地局システムは複数の基地局と前記複数の基地局を束ねる基地局クラスタ装置とから構成され、前記基地局クラスタ装置は前記構内交換機と電話線で接続されるとともに互いに制御線で接続されており、前記基地局クラスタ装置内に、前記構内交換機および別の前記基地局クラスタ装置との間で通信の呼の確立と切断をおこなう構内交換機通信手段と、前記制御線を通じて前記親子式通信システム間で管理情報をやりとりする制御線通信手段と、前記親子式通信システムにおける子機がどの基地局内にいるかを表す子機現在位置を前記基地局クラスタ装置間にまたがって管理する移動管理手段と、前記構内交換機と前記基地局クラスタ装置を接続している複数の電話線の使用状況を管理する通信回線管理手段と、着信先子機番号を子機現在位置が登録されている着信先基地局クラスタ装置内の前記通信回線管理手段に空き回線情報を問い合わせて空いている構内内線電話番号と着信先基地局クラスタ内子機番号に変換するアドレス変換手段とを備えた構内無線通信基地局システムであり、子機がどの基地局内にいるかを管理し、電話線の使用状況を管理し、着信先子機番号を、着信先子機がいる基地局クラスタ装置の空いている構内内線電話番号と着信先基地局クラスタ内子機番号に変換するという作用を有する。
【００１９】
本発明の請求項７記載の発明は、構内交換機と複数の親子式通信システムとからなり、前記親子式通信システムは、複数の移動局と複数の基地局と前記複数の基地局を束ねる基地局クラスタ装置とから構成され、前記基地局クラスタ装置は、前記構内交換機と電話線で接続されるとともに互いに制御線で接続されており、前記構内交換機および別の基地局クラスタ装置との間で通信の呼の確立と切断をおこなう構内交換機通信手段と、前記制御線を通じて前記親子式通信システム間で管理情報をやりとりする制御線通信手段と、前記親子式通信システムにおける移動局がどの基地局内にいるかを表す移動局現在位置を前記基地局クラスタ装置間にまたがって管理する移動管理手段と、着信先子機番号を移動局現在位置が登録されている着信先基地局クラスタ装置の複数の構内内線電話番号と着信先基地局クラスタ内子機番号に変換するアドレス変換手段と、着信先基地局クラスタ装置内の構内内線番号がビジーの場合に前記アドレス変換手段から得られた着信先基地局クラスタ装置の別の構内内線電話番号に再発呼をおこなう再発呼手段とを備えた構内無線システムで用いられる移動局において、前記基地局を介して前記基地局クラスタ装置の前記移動管理手段に現在位置を登録する手段と、現在位置を登録した基地局クラスタ装置の基地局クラスタ内子機番号により着信を行なう手段とを備えた移動局であり、移動局がどの基地局内にいるかを登録し、登録した基地局クラスタ装置の構内内線番号とクラスタ内子機番号に変換された番号で着信し、構内内線番号がビジーの場合に別の構内内線電話番号で着信するという作用を有する。
【００２０】
本発明の請求項８記載の発明は、構内交換機と複数の親子式通信システムとからなり、前記親子式通信システムは、複数の移動局と複数の基地局と前記複数の基地局を束ねる基地局クラスタ装置とから構成され、前記基地局クラスタ装置は、前記構内交換機と電話線で接続されるとともに互いに制御線で接続されており、前記構内交換機および別の基地局クラスタ装置との間で通信の呼の確立と切断をおこなう構内交換機通信手段と、前記制御線を通じて前記親子式通信システム間で管理情報をやりとりする制御線通信手段と、前記親子式通信システムにおける移動局がどの基地局内にいるかを表す移動局現在位置を前記基地局クラスタ装置間にまたがって管理する移動管理手段と、前記構内交換機と前記基地局クラスタ装置を接続している複数の電話線の使用状況を管理する通信回線管理手段と、着信先子機番号を移動局現在位置が登録されている着信先基地局クラスタ装置内の前記通信回線管理手段に空き回線情報を問い合わせて空いている構内内線電話番号と着信先基地局クラスタ内子機番号に変換するアドレス変換手段とを備えた構内無線システムで用いられる移動局において、前記基地局を介して前記基地局クラスタ装置の前記移動管理手段に現在位置を登録する手段と、現在位置を登録した基地局クラスタ装置の基地局クラスタ内子機番号により着信を行なう手段とを備えた移動局であり、移動局がどの基地局内にいるかを登録し、電話線の使用状況を管理し、登録した基地局クラスタ装置の空いている構内内線電話番号とクラスタ内子機番号に変換された番号で着信するという作用を有する。
【００２１】
以下、本発明の実施の形態について、図１〜図９を参照して詳細に説明する。
【００２２】
（第１の実施の形態）
本発明の第１の実施の形態は、親子式無線通信システムの子機がどの基地局内にいるかを、基地局クラスタ装置間にまたがって管理し、着信先子機番号を、着信先子機が位置登録している着信先基地局クラスタ装置の構内内線番号と着信先基地局クラスタ内子機番号に変換する構内無線通信システムである。
【００２３】
図１は、本発明の第１の実施の形態における構内交換機と基地局クラスタ装置を備えた構内無線通信システムの構成図である。図１において、基地局クラスタ装置10と基地局クラスタ装置30は、親子式無線通信システムの複数の基地局を管理する装置である。構内交換機20は、基地局クラスタ装置間の回線交換を行なう装置である。制御線1000は、例えばイーサネットなどの通信回線であり、基地局クラスタ装置10、30が接続されている。構内交換機20と基地局クラスタ装置10、30は、各々ＩＳＤＮやアナログ線など複数の電話線2001−2010、2011−2020で接続されている。基地局クラスタ装置10には、基地局101、201が、また基地局クラスタ装置30には、基地局301、401が、例えば、Ｉインタフェースなどのディジタルインタフェースによりそれぞれ接続されている。基地局101の無線ゾーン100内には、子機102が存在している。同様に、基地局301の無線ゾーン内300には、子機302が存在している。なお、無線ゾーン100、300内は、例えば、第２世代デジタルコードレス電話などのデジタル通信方式が採用されているものとする。
【００２４】
なお実際には、制御線1000には、基地局クラスタ装置10、30以外の基地局クラスタが接続され、各々構内交換機20とも電話線により接続されている。また、基地局クラスタ10、30には、基地局101、201、301、401以外の基地局が接続されている。さらに、無線ゾーン100、300内には、子機102、302以外の子機が存在する。しかし、理解が容易なように図示を省略し、特に必要な場合以外は、それらの存在を無視して説明する。
【００２５】
図２は、本発明の第１の実施の形態における基地局クラスタ装置10の構成図である。基地局クラスタ装置10は、基地局インタフェース部11と、パーソナルハンディホン通信制御部12と、通信パス管理部13と、移動管理部14と、相互接続部15と、構内交換機通信部16と、制御線通信部17と、アドレス変換部18と、電話線インタフェース部19とを備えている。基地局インタフェース部11は、基地局101、201とパーソナルハンディホン通信制御部12との間で制御データのやりとり、および、通信パス管理部13からの要求に基づく通信パスの確立を行なう。パーソナルハンディホン通信制御部12は、着信先子機の現在位置を移動管理部14に問い合わせ、基地局クラスタ装置10内にいる場合に、基地局クラスタ装置10内での子機間通信を行なうため、通信パス管理部13に通信形態を指示し、呼の確立、切断、回線制御を行なう。なお、着信先子機が別の基地局クラスタ装置30内にいる場合（子機302）においては、呼の確立や切断を相互接続部15に委ねる。
【００２６】
通信パス管理部13は、基地局インタフェース部11内の通信パス、および、基地局インタフェース部11と構内交換機通信部16間の通信パスを管理し、パーソナルハンディホン通信制御部12、相互接続部15からの呼の確立要求や切断要求に応じて、通信パスの確立や解放を行なう。移動管理部14は、子機102、302などの全ての子機の現在位置、すなわち、どの基地局クラスタ装置のどの基地局内にあるかを管理し、パーソナルハンディホン通信制御部12、および、相互接続部15からの問い合わせに対して、基地局クラスタ装置番号と基地局番号を答える。相互接続部15は、構内交換機20を介しての基地局クラスタ装置10、30をまたがる子機間通信における基地局クラスタ装置10、構内交換機20、基地局クラスタ装置30間の通信制御、および、呼制御プロトコル変換を行なう。構内交換機通信部16は、電話線2001−2010を通じて呼の確立、切断、回線制御を行なうものであり、例えば、ＩＳＤＮ回線の場合、Ｑ.931モジュール等により構成される。
【００２７】
制御線通信部17は、制御線1000の通信を制御するものであり、例えば、イーサネットの場合、イーサネットカード、イーサネットドライバ、ＴＣＰ／IＰモジュールにより構成される。アドレス変換部18は、相互接続部15から着信先子機番号、着信先基地局クラスタ装置番号をうけとり、着信先基地局クラスタ装置の構内内線番号と着信先基地局クラスタ装置内子機番号に変換する。電話線インタフェース部19は、電話線2001−2010と構内交換機通信部16との間での制御データのやりとり、および、通信パス管理部13からの要求に基づく通信パスの確立をおこなう。
【００２８】
図３は、本発明の第１の実施の形態における基地局クラスタ装置30の構成図である。基地局クラスタ装置30は、構成、機能とも、図２の基地局クラスタ装置10と同じものである。
【００２９】
次に、図４と図５を参照して、第１の実施の形態の構内無線通信システムの動作を説明する。基地局クラスタ装置間をまたがる子機間通信について述べる。図４は、基地局クラスタ装置間をまたがる子機間通信における子機102−基地局101−装置10−構内交換機20の通信シーケンスの説明図である。図５は、基地局クラスタ装置間をまたがる子機間通信における構内交換機20−基地局クラスタ装置30−基地局301−子機302の通信シーケンスの説明図である。すなわち、図４および図５は、子機102から基地局クラスタ装置10、構内交換機20、基地局クラスタ装置30をまたがって、子機302への通信のための呼を確立する手順を表している。
【００３０】
子機102から基地局101を経由して、基地局クラスタ装置10内のパーソナルハンディホン通信制御部12に、子機302への通信を行なうための呼設定メッセージが到着すると、パーソナルハンディホン通信制御部12が、移動管理部14に子機302の現在位置を問い合わせる。これにより、移動管理部14が、パーソナルハンディホン通信制御部12に、子機302が基地局クラスタ装置30内にあることを知らせる。これにより、パーソナルハンディホン通信制御部12が、着信すべき子機302が構内交換機20を経由した基地局クラスタ装置30内にあり、基地局クラスタ装置10、30間の通信が必要であるため、すなわち、基地局クラスタ装置30をまたがって子機302との呼を確立するために、相互接続部15に対して、子機302のアドレス、基地局クラスタ装置30の識別子を通知する。
【００３１】
相互接続部15は、基地局101と基地局インタフェース部11と電話線インタフェース部19との通信パスを設定する旨を、通信パス管理部13に依頼する。これにより、通信パス管理部13が、基地局101の未使用のチャネル番号、および、基地局101と基地局インタフェース部11との間のＨＷＹアドレス、および、基地局インタフェース部11と電話線インタフェース部19との間のＨＷＹアドレス、未使用の電話線（例えば2001）を獲得する。なお、これらチャネル情報は、通信ＩＤとして関連付けられる。
【００３２】
次に、通信パス管理部13は、基地局インタフェース部11、および、電話線インタフェース部19に対して、基地局101−基地局クラスタ装置10−電話線2001間の通信パス確立を依頼するとともに、相互接続部15に対して通信ＩＤを知らせる。相互接続部15は、アドレス変換部18に対して、基地局クラスタ装置30の識別子から構内内線番号に変換するよう依頼する。アドレス変換部18は、基地局クラスタ装置30の構内内線番号（例えば2011）を相互接続部15に伝える。相互接続部15は、着番号＝構内内線番号（2011）、着サブ＝子機302番号を含んだ呼設定メッセージに変換し、構内交換機通信部16に渡す。
【００３３】
構内交換機通信部16は、電話線インタフェース部19を経由して電話線2001から構内交換機20に発呼する。基地局クラスタ装置30内の構内交換機通信部36は、前述の呼設定メッセージを構内交換機20から受け取り、メッセージ内に着サブが含まれているので、相互接続部35に対し、着サブ＝子機番号302での着信を依頼する。相互接続部35は、パーソナルハンディホン通信制御部32に対して、子機302に呼確立要求を送る。これにより、パーソナルハンディホン通信制御部32が、移動管理部34に子機302の現在位置を問い合わせる。これにより、移動管理部34が、パーソナルハンディホン通信制御部32に対して、子機302が基地局301内にあることを知らせる。これにより、パーソナルハンディホン通信制御部32が、基地局301と基地局インタフェース部31と電話線インタフェース部39との通信パスを設定する旨を、通信パス管理部33に、着信のあった構内内線番号（2011）を添付して依頼する。これにより、通信パス管理部33が、基地局301の未使用のチャネル番号、および、基地局301と基地局インタフェース部31との間のＨＷＹアドレス、および、基地局インタフェース部31と電話線インタフェース部39との間のＨＷＹアドレス、電話番号（2011）を獲得する。なお、これらチャネル情報は、通信ＩＤとして関連付けられる。
【００３４】
次に、通信パス管理部33は、基地局インタフェース部31、および、電話線インタフェース部39に対して、基地局301−基地局クラスタ装置30−電話線2011間の通信パス確立を依頼するとともに、パーソナルハンディホン通信制御部32に対して通信ＩＤを知らせる。パーソナルハンディホン通信制御部32は、相互接続部35に対して通信パスが確立できたことを通知する。相互接続部35は、着番号＝子機302を含んだ呼設定メッセージに変換し、パーソナルハンディホン通信制御部32に渡す。パーソナルハンディホン通信制御部32は、基地局301内の子機302に対して着呼メッセージを送る。これにより、子機302が、基地局301を経由して、着呼応答メッセージをパーソナルハンディホン通信制御部32に対して送る。これにより、パーソナルハンディホン通信制御部32が、基地局301内の子機302に対して、どのチャネル番号を使用するのかを含んだ呼設定メッセージを送る。これにより、基地局301が、基地局インタフェース部31から送られてくるデータを、指定されたチャネルから受け取り、子機302に送ることになる。
【００３５】
以上の動作により、子機102−基地局101−基地局クラスタ装置10−構内交換機20−基地局クラスタ装置30−基地局301−子機302間で呼設定受付メッセージ、呼出メッセージ、応答メッセージ、応答確認メッセージがやりとりされ、構内交換機20を介する基地局クラスタ装置10、30をまたがる子機301−子機302通信パスが確立する。
【００３６】
なお、着信先基地局クラスタ装置内の構内内線番号がビジーの場合にアドレス変換手段から得られた着信先基地局クラスタ装置の別の構内内線電話番号に再発呼をおこなう再発呼手段とを備えたものは、第１の実施の形態において、アドレス変換部から複数の構内内線番号を獲得するとともに、相互接続部が着信先ビジーの場合、別の構内内線番号で再発信を行なうことで実現できる。
【００３７】
上記のように、本発明の第１の実施の形態では、構内無線通信システムを、親子式無線通信システムの子機がどの基地局内にいるかを、基地局クラスタ装置間にまたがって管理する移動管理部と、着信先子機番号を、着信先子機が現在の位置登録をおこなっている着信先基地局クラスタ装置の構内内線番号と着信先基地局クラスタ内子機番号に変換するアドレス変換部とを備えた構成としたので、ユーザが着信先子機番号を指定するだけで、着信先子機がどの親子式通信システム内にいても着信が可能になる。
【００３８】
（第２の実施の形態）
本発明の第２の実施の形態は、親子式無線通信システムの子機がどの基地局内にいるかを管理し、電話線の使用状況を管理し、着信先子機が位置登録している基地局クラスタ装置内の通信回線管理部に空き回線情報を問い合わせ、着信先子機番号を、空いている構内内線電話番号とクラスタ内子機番号に変換する構内無線通信システムである。
【００３９】
本発明の第２の実施の形態の構内無線通信システムの構成は、図１に示した第１の実施の形態と同じである。
【００４０】
図６は、第２の実施の形態の基地局クラスタ装置10の構成図である。基地局クラスタ装置10は、基地局インタフェース部11と、パーソナルハンディホン通信制御部12と、通信パス管理部13と、移動管理部14と、相互接続部15と、構内交換機通信部16と、制御線通信部17と、アドレス変換部18と、通信回線管理部19と、電話線インタフェース部1aとを備えている。基地局インタフェース部11は、基地局101、201とパーソナルハンディホン通信制御部12との間で制御データのやりとり、および、通信パス管理部13からの要求に基づく通信パスの確立を行なう。パーソナルハンディホン通信制御部12は、着信先子機の現在位置を移動管理部14に問い合わせ、基地局クラスタ装置10内にいる場合に、基地局クラスタ装置10内での子機間通信を行なうため、通信パス管理部13に通信形態を指示し、呼の確立、切断、回線制御を行なう。なお、着信先子機が別の基地局クラスタ装置30内にいる場合（子機302）においては、呼の確立や切断を相互接続部15に委ねる。
【００４１】
通信パス管理部13は、基地局インタフェース部11内の通信パス、および、基地局インタフェース部11と構内交換機通信部16間の通信パスを管理し、パーソナルハンディホン通信制御部12、相互接続部15からの呼の確立要求や切断要求に応じて、通信パスの確立や解放を行なう。移動管理部14は、子機102、302などの全ての子機の現在位置、すなわち、どの基地局クラスタ装置のどの基地局内にあるかを管理し、パーソナルハンディホン通信制御部12、および、相互接続部15からの問い合わせに対して、基地局クラスタ装置番号と基地局番号を答える。相互接続部15は、構内交換機20を介しての基地局クラスタ装置10、30をまたがる子機間通信における基地局クラスタ装置10、構内交換機20、基地局クラスタ装置30間の通信制御、および、呼制御プロトコル変換を行なう。
【００４２】
構内交換機通信部16は、電話線2001−2010を通じて呼の確立、切断、回線制御を行なうものであり、たとえばＩＳＤＮ回線の場合、Ｑ.931モジュール等により構成される。制御線通信部17は、制御線1000の通信を制御するものであり、例えばイーサネットの場合、イーサネットカード、イーサネットドライバ、ＴＣＰ／ＩＰモジュールにより構成される。アドレス変換部18は、相互接続部15から着信先子機番号、着信先基地局クラスタ装置番号をうけとり、着信先基地局クラスタ装置の構内内線番号と着信先基地局クラスタ装置内子機番号に変換する。通信回線管理部19は電話線2000−2010の現在の使用状況を管理し、アドレス変換部18からの問い合わせに対して、空いている電話線を答える。電話線インタフェース部1aは、電話線2001−2010と構内交換機通信部16との間での制御データのやりとり、および、通信パス管理部13からの要求に基づく通信パスの確立をおこなう。
【００４３】
図７は、基地局クラスタ装置30の構成図である。基地局クラスタ装置30は、構成、機能とも、図６の基地局クラスタ装置10と同じである。
【００４４】
次に、図８と図９を参照して、本発明の第２の実施の形態の構内無線通信システムの動作を説明する。基地局クラスタ装置間をまたがる子機間通信について述べる。図８は、基地局クラスタ装置間をまたがる子機間通信における子機102−基地局101−基地局クラスタ装置10−構内交換機20の通信シーケンスの説明図である。図９は、基地局クラスタ装置間をまたがる子機間通信における構内交換機20−基地局クラスタ装置30−基地局301−子機302の通信シーケンスの説明図である。すなわち、図８および図９は、子機102から基地局クラスタ装置10、構内交換機20、基地局クラスタ装置30をまたがって子機302への通信のための呼を確立する手順を表している。
【００４５】
子機102から基地局101を経由して基地局クラスタ装置10内のパーソナルハンディホン通信制御部12に子機302ヘの通信を行なうための呼設定メッセージが到着すると、パーソナルハンディホン通信制脚部12が、移動管理部14に子機302の現在位置を問い合わせる。これにより、移動管理部14が、パーソナルハンディホン通信制御部12に、子機302が基地局クラスタ装置30内にあることを知らせる。これにより、パーソナルハンディホン通信制御部12が、着信すべき子機302が構内交換機20を経由した基地局クラスタ装置30内にあり、基地局クラスタ装置10、30間の通信が必要であるため、すなわち、基地局クラスタ装置30をまたがって子機302との呼を確立するために、相互接続部15に対して、子機302のアドレス、基地局クラスタ装置30の識別子を通知する。
【００４６】
相互接続部15は、基地局101と基地局インタフェース部11と電話線インタフェース部1aとの通信パスを設定する旨を、通信パス管理部13に依頼する。これにより、通信パス管理部13が、基地局101の未使用のチャネル番号、および、基地局101と基地局インタフェース部11との間のＨＷＹアドレス、および、基地局インタフェース部11と電話線インタフェース部1aとの間のＨＷＹアドレス、未使用の電話線（例えば2001）を獲得する。なお、これらチャネル情報は、通信ＩＤとして関連付けられる。
【００４７】
次に、通信パス管理部13は、基地局インタフェース部11、および、電話線インタフェース部1aに対して、基地局101−基地局クラスタ装置10−電話線2001間の通信パス確立を依頼するとともに、相互接続部15に対して、通信ＩＤを、通信回線管理部19に対して、電話線2001を使用することを知らせる。相互接続部15は、アドレス変換部18に対して、基地局クラスタ装置30の識別子から構内内線番号に変換するよう依頼する。アドレス変換部18は、通信回線管理部19に、基地局クラスタ装置30の未使用の電話番号を尋ねる。通信回線管理部19は、基地局クラスタ装置30内の通信回線管理部39に対して、制御線通信部17−制御線1000−制御線通信部37−通信回線管理部39経由で未使用の電話番号（例えば2011）を問い合わせ獲得し、アドレス変換部18に伝える。
【００４８】
アドレス変換部18は、未使用の基地局クラスタ装置30構内内線番号（例えば2011）を相互接続部15に伝える。相互接続部15は、着番号＝構内内線番号（2011）、着サブ＝子機302番号を含んだ呼設定メッセージに変換し、構内交換機通信部16に渡す。構内交換機通信部16は、電話線インタフェース部1aを経由して電話線2001から構内交換機20に発呼する。基地局クラスタ装置30内の構内交換機通信部36は、前述の呼設定メッセージを構内交換機20から受け取り、メッセージ内に着サブが含まれているので、相互接続部35に対し、着サブ＝子機番号302での着信を依頼する。相互接続部35は、パーソナルハンディホン通信制御部32に対して、子機302に呼確立要求を送る。これにより、パーソナルハンディホン通信制脚部32が、移動管理部34に子機302の現在位置を問い合わせる。
【００４９】
これにより、移動管理部34が、パーソナルハンディホン通信制御部32に対して、子機302が基地局301内にあることを知らせる。これにより、パーソナルハンディホン通信制御部32が、基地局301と基地局インタフェース部31と電話線インタフェース部3aとの通信パスを設定する旨を、通信パス管理部33に着信のあった構内内線番号（2011）を添付して依頼する。これにより、通信パス管理部33が、基地局301の未使用のチャネル番号、および、基地局301と基地局インタフェース部31との間のＨＷＹアドレス、および、基地局インタフェース部31と電話線インタフェース部3aとの間のＨＷＹアドレス、電話番号（2011）を獲得する。なお、これらチャネル情報は、通信ＩＤとして関連付けられる。
【００５０】
次に、通信パス管理部33は、基地局インタフェース部31、および、電話線インタフェース部39に対して、基地局301−基地局クラスタ装置30−電話線2011間の通信パス確立を依頼するとともに、パーソナルハンディホン通信制御部32に対して通信ＩＤを知らせる。パーソナルハンディホン通信制御部32は、相互接続部35に対して、通信パスが確立できたことを通知する。相互接続部35は、着番号＝子機302を含んだ呼設定メッセージに変換し、パーソナルハンディホン通信制御部32に渡す。パーソナルハンディホン通信制御部32は、基地局301内の子機302に対して着呼メッセージを送る。これにより、子機302が、基地局301を経由して着呼応答メッセージをパーソナルハンディホン通信制御部32に対して送る。これにより、パーソナルハンディホン通信制御部32が、基地局301内の子機302に対して、どのチャネル番号を使用するのかを含んだ呼設定メッセージを送る。これにより、基地局301が、基地局インタフェース部31から送られてくるデータを、指定されたチャネルから受け取り子機302に送ることになる。
【００５１】
以上の動作により、子機102−基地局101−基地局クラスタ装置10−構内交換機20−基地局クラスタ装置30−基地局301−子機302間で呼設定受付メッセージ、呼出メッセージ、応答メッセージ、応答確認メッセージがやりとりされ、構内交換機20を介する基地局クラスタ装置10、30をまたがる子機301−子機302通信パスが確立する。
【００５２】
なお、第２の実施の形態においては、電話線がＩＳＤＮであるとして説明したが、アナログ線の場合は着サブの指定はＤＴＭＦにより実現してもよい。
【００５３】
上記のように、本発明の第２の実施の形態では、構内無線通信システムを、親子式無線通信システムの子機がどの基地局内にいるかを管理する移動管理部と、電話線の使用状況を管理する通信回線管理部と、着信先子機が位置登録している着信先基地局クラスタ装置内の通信回線管理部に空き回線情報を問い合わせ、着信先子機番号を、空いている構内内線電話番号とクラスタ内子機番号に変換するアドレス変換部とを設けた構成としたので、ユーザが着信先子機番号を指定するだけで、子機がどの親子式無線通信システム内にいても着信が可能になる。
【００５４】
【発明の効果】
以上説明したように、本発明によれば、構内交換機に複数の親子式無線通信システムを接続した構内無線通信システムにおいて、親子式無線通信システムの子機がどの基地局内にいるかを基地局クラスタ装置間にまたがって管理する移動管理部と、着信先子機番号を、子機が位置登録しているクラスタ装置の構内内線番号とクラスタ内子機番号に変換するアドレス変換部とを設けたので、ユーザが着信先子機番号を指定するだけで、子機がどの親子式無線通信システム内にいても着信が可能になるという効果が得られる。
【図面の簡単な説明】
【図１】本発明の第１の実施の形態における構内無線通信システムの構成図、
【図２】本発明の第１の実施の形態における基地局クラスタ装置の構成図、
【図３】本発明の第１の実施の形態における基地局クラスタ装置の構成図、
【図４】本発明の第１の実施の形態における構内無線通信システムにより実現される基地局クラスタ装置をまたがる子機間通信の通信シーケンスの説明図、
【図５】本発明の第１の実施の形態における構内無線通信システムにより実現される基地局クラスタ装置をまたがる子機間通信の通信シーケンスの説明図、
【図６】本発明の第２の実施の形態における基地局クラスタ装置の構成図、
【図７】本発明の第２の実施の形態における基地局クラスタ装置の構成図、
【図８】本発明の第２の実施の形態における構内無線通信システムにより実現される基地局クラスタ装置をまたがる子機間通信の通信シーケンスの説明図、
【図９】本発明の第２の実施の形態における構内無線通信システムにより実現される基地局クラスタ装置をまたがる子機間通信の通信シーケンスの説明図である。
【符号の説明】
10  基地局クラスタ装置
11  基地局インタフェース部
12  パーソナルハンディホン通信制御部
13  通信パス管理部
14  移動管理部
15  相互接続部
16  構内交換機通信部
17  制御線通信部
18  アドレス変換部
19  通信回線管理部
1a  電話線インタフェース部
20  構内交換機
30  基地局クラスタ装置
31  基地局インタフェース部
32  パーソナルハンディホン通信制御部
33  通信パス管理部
34  移動管理部
35  相互接続部
36  構内交換機通信部
37  制御線通信部
38  アドレス変換部
39  通信回線管理部
3a  電話線インタフェース部
101  基地局
102  子機
201  基地局
301  基地局
302  子機
401  基地局
【図１】
0003926025.tif 000002
【図２】
0003926025.tif 000003
【図３】
0003926025.tif 000004
【図４】
0003926025.tif 000005
【図５】
0003926025.tif 000006
【図６】
0003926025.tif 000007
【図７】
0003926025.tif 000008
【図８】
0003926025.tif 000009
【図９】
0003926025.tif 000010